(57)【要約】  【課題】係止爪と係止穴とを係合させて施錠する構成のロック機構において、施錠状態を解除し、戸板を閉止位置から開成位置に移動させた際に、係止穴が外部に露出し、見栄えが損なわれる不具合の発生を解消する。  【解決手段】戸板１を閉止位置にロック可能にすべく設けられるロック機構６に、施錠及び解錠の際の操作力を受け付ける錠前６１と、この錠前６１から前記操作力の伝達を受けて施錠位置と解錠位置との間で移動可能な係止爪６３と、この係止爪６３に前記錠前６１から操作力を伝達する操作力伝達部６２とを具備させるとともに、前記係止爪６３が、施錠位置において、戸板１の上端部ないしその近傍に対向する位置に設けられ上方に開口する係止穴Ｈと係合し、戸板１の閉止位置からの移動を規制する態様を採用する。  【選択図】図９
2008308925.tif 000002
【特許請求の範囲】
【請求項１】
戸板を閉止位置にロック可能にすべく設けられるものであって、施錠及び解錠の際の操作力を受け付ける錠前と、この錠前から前記操作力の伝達を受けて施錠位置と解錠位置との間で移動可能な係止爪と、この係止爪に前記錠前から操作力を伝達する操作力伝達部とを具備するものであって、前記係止爪が、施錠位置において、戸板の上端部ないしその近傍に対向する位置に設けられ上方に開口する係止穴と係合し、戸板の閉止位置からの移動を規制することを特徴とするロック機構。
【請求項２】
前記操作力伝達部が、解錠位置から施錠位置への移動動作中に前記係止爪を上方に移動させる昇降駆動部と、前記係止爪が施錠位置において戸板から該戸板の厚さ方向に突出するようにすべく昇降駆動部から動力の伝達を受けて係止爪に施錠位置と解錠位置との間で回動動作を行わせる回動駆動部とを具備することを特徴とする請求項１記載のロック機構。
【請求項３】
前記昇降駆動部が、錠前からの操作力の伝達を受けて係止爪の一端部を昇降動作させる構成を有するとともに、前記回転駆動部が、一端部を戸板、他端部を係止爪の中間部に接続したリンクメンバを有し、係止爪の前記一端部の昇降動作を受けて該係止爪を前記リンクメンバの端部を回動中心軸として回動させる構成を有することを特徴とする請求項２記載のロック機構。
【請求項４】
前記昇降駆動部が、一端部を前記係止爪の一端部に接続してなる第１のリンクメンバと、一端部を前記第１のリンクメンバの他端部、他端部を戸板に接続してなるとともに、中間部を前記錠前のデッドボルトに接続している第２のリンクメンバとを具備することを特徴とする請求項３記載のロック機構。
【請求項５】
壁面を構成するパネル要素と、このパネル要素を支持するパネル支持具とを有する壁体とともに用いられ、閉止位置に配された際に開口部を閉塞可能な戸板と、この戸板を幅方向にスライド可能に支持する支持機構とを具備する引き戸に設けられるものであって、前記壁体に設けた係止穴に係止爪を係合させてなることを特徴とする請求項１、２、３又は４記載のロック機構。
【請求項６】
前記支持機構が、戸板の配設位置から該戸板の板厚方向へ変位させて前記開口部の上開口縁部及びこの開口部に連接する領域に配置される案内レール、この案内レールと前記戸板とを接続するとともに前記戸板を開閉方向に沿って移動可能に支持させてなる可動部、及び前記可動部の前記案内レールから前記戸板に向かう方向への移動を規制する規制部を有するものであって、壁体のパネル支持具が前記案内レールを内部に収納してなるとともに、このパネル支持具に前記係止穴を設けていることを特徴とする請求項５記載のロック機構。
【発明の詳細な説明】
【技術分野】
【０００１】
本発明は、戸板をロック位置にロック可能なロック機構に関する。
【背景技術】
【０００２】
オフィス等における居住空間を区成する手段として、間仕切りが利用されているのは周知のところである。そして、かかる間仕切りによって囲まれた部屋に出入りするために、間仕切りの一部に開口を形成して引戸を配し、これを出入口とすることが行われている。
【０００３】
ところで、従来よりこの種の引戸を閉止位置にロック可能にすべく設けられるロック機構として、戸板の側方から係止爪を突出させ引き戸側方に設けた係止穴に係合可能に構成したものや、戸板の上端から上方、または戸板の下端から下方に突出可能な突起を設け、天井又は床体に設けた係止穴に係合可能に構成したものが考えられている（例えば、特許文献１及び２を参照）。
【特許文献１】特許第３５９１７８０号公報
【特許文献２】特許第３０８０１４５号公報
【発明の開示】
【発明が解決しようとする課題】
【０００４】
しかし、特許文献１又は２記載の構成を採用すると、施錠状態を解除し、戸板を閉止位置から開成位置に移動させると、係止穴が外部に露出し、見栄えが損なわれる不具合が発生する。
【０００５】
本発明は、以上に述べた課題を解決すべく構成するものである。
【課題を解決するための手段】
【０００６】
すなわち、本発明に係るロック機構は、戸板を閉止位置にロック可能にすべく設けられるものであって、施錠及び解錠の際の操作力を受け付ける錠前と、この錠前から前記操作力の伝達を受けて施錠位置と解錠位置との間で移動可能な係止爪と、この係止爪に前記錠前から操作力を伝達する操作力伝達部とを具備するものであって、前記係止爪が、施錠位置において、戸板の上端部ないしその近傍に対向する位置に設けられ上方に開口する係止穴と係合し、戸板の閉止位置からの移動を規制することを特徴とする。
【０００７】
このようなものであれば、戸板の上端部ないしその近傍に対向する位置に、上方に開口する係止穴を設け、係止爪をこの係止穴と係合させるようにしているので、戸板の側方や天井や床体等に係止穴を設ける必要がある従来のロック機構と異なり、戸板をロック位置から移動させた場合に係止穴が視認しにくく、見栄えを整えることができる。
【０００８】
戸板の上端と天井との間の空間が小さい場合にこのようなロック機構を設置できるようにするための態様として、前記操作力伝達部が、解錠位置から施錠位置への移動動作中に前記係止爪を上方に移動させる昇降駆動部と、前記係止爪が施錠位置において戸板から該戸板の厚さ方向に突出するようにすべく昇降駆動部から動力の伝達を受けて係止爪に施錠位置と解錠位置との間で回動動作を行わせる回動駆動部とを具備するものが挙げられる。このようなものであれば、解錠位置においては係止爪を戸板内部に収納させつつ、施錠操作に伴い係止爪を上昇させると同時に係止爪を突出させるようにできるので、施錠の際の係止爪の動作を可能にすべく係止爪の上方に確保すべきスペースを小さくできるからである。
【０００９】
このような操作力伝達部を実現できるようにするための具体的な構成の一例として、前記昇降駆動部が、錠前からの操作力の伝達を受けて係止爪の一端部を昇降動作させる構成を有するとともに、前記回転駆動部が、一端部を戸板、他端部を係止爪の中間部に接続したリンクメンバを有し、係止爪の前記一端部の昇降動作を受けて該係止爪を前記リンクメンバの端部を回動中心軸として回動させる構成を有するものが挙げられる。
【００１０】
特に、前記昇降駆動部が、一端部を前記係止爪の一端部に接続してなる第１のリンクメンバと、一端部を前記第１のリンクメンバの他端部、他端部を戸板に接続してなるとともに、中間部を前記錠前のデッドボルトに接続している第２のリンクメンバとを具備するものであれば、デッドボルトの昇降動作が小さいものであっても、解錠位置において係止爪の全体を戸板の内部に収納し、施錠位置において係止爪の略全体を戸板の上方に配置すべく昇降幅を確保できる。
【００１１】
また、このようなロック機構を好適に使用できる態様として、壁面を構成するパネル要素と、このパネル要素を支持するパネル支持具とを有する壁体とともに用いられ、閉止位置に配された際に開口部を閉塞可能な戸板と、この戸板を幅方向にスライド可能に支持する支持機構とを具備する引き戸に設けられるものであって、前記壁体に設けた係止穴に係止爪を係合させてなるものが挙げられる。
【００１２】
特に、前記支持機構が、戸板の配設位置から該戸板の板厚方向へ変位させて前記開口部の上開口縁部及びこの開口部に連接する領域に配置される案内レール、この案内レールと前記戸板とを接続するとともに前記戸板を開閉方向に沿って移動可能に支持させてなる可動部、及び前記可動部の前記案内レールから前記戸板に向かう方向への移動を規制する規制部を有するものであって、壁体のパネル支持具が前記案内レールを内部に収納してなるとともに、このパネル支持具に前記係止穴を設けているものであれば、施錠状態であっても係止爪及び係止穴の箇所が外部から視認しにくく、従って、引き戸をこじ開けようとする者が係止爪と係止穴との係合を無理に解除させる手口に対する安全性を向上させることができる。
【発明の効果】
【００１３】
本発明に係るロック機構の構成によれば、戸板の上端部ないしその近傍に対向する位置に、上方に開口する係止穴を設け、係止爪をこの係止穴と係合させるようにしているので、戸板の側方や天井や床体等に係止穴を設ける必要がある従来のロック機構と異なり、戸板をロック位置から移動させた場合に係止穴が視認しにくく、見栄えを整えることができる。
【発明を実施するための最良の形態】
【００１４】
以下、本発明の一実施形態を、図面を参照して説明する。
【００１５】
図１〜図４に示すように、この実施形態に係る引き戸Ｄは、建物の天井Ｃと床Ｆとの間にあって且つガラス等のパネル体を組み込んだ壁体たる非可動部Ｌと支柱Ｐとの間に形成される開口部Ｓを閉塞可能に設けられるものであって、上端部を吊持部材Ｔに支持させてなる戸板１と、この戸板１の配設位置から該戸板の板厚方向へ変位させて前記開口部の上開口縁近傍に配置される案内レール３、及びこれら案内レール３と戸板１とを接続するとともに前記戸板１を開閉方向に沿って移動可能に支持させてなる可動部４とを有する支持機構２と、前記と板を閉止位置にロック可能なロック機構６とを具備する。そして、前記戸板１を、非可動部Ｌに隣接する位置である閉止位置と、非可動部Ｌと略重合する位置である開成位置との間で移動可能にしていて、この戸板１を前記開成位置に配することによって当該開口部Ｓを開成させるものである。
【００１６】
前記支持機構２は、前記図２、図３及び図４に示すように、また、図５及び図６に示すように、可動部４の一部を引き戸１の配設位置に持ち出して、この持ち出し端側に戸板１を取り付けている。また、この支持機構２は、前記可動部４の前記案内レール３から前記戸板１に向かう方向への移動を規制する規制部５をさらに有する。
【００１７】
具体的に説明すると、前記図４〜図６に示すように、前記案内レール３は、前記戸板１側に開口する開口部３ｘを有するチャネル状の部材であって、両端部を支柱Ｐに支持させてなる。また、この案内レール３の開口部３ｘの下面には、戸板１のスライド方向すなわち幅方向に延伸する案内突条３ａを設けている。さらに、この案内レール３の開口部３ｘの上面には、戸板１と反対方向に向く傾斜部３ｂを設けている。そして、この案内レール３は、本実施形態では非可動部のＬの厚さ寸法内に配している。
【００１８】
なお、前記パネル要素Ｌ１は、本実施形態ではガラス板を利用して形成している。また、前記図４〜図６に示すように、このパネル要素Ｌ１、Ｌ１の上端部は、パネル支持具Ｌ２に支持させている。このパネル支持具Ｌ２は、上方に開口し内部に前記案内レール３を収納可能な案内レール収納空間Ｌ２１ｓを有する。さらに詳述すると、このパネル支持具Ｌ２は、底壁Ｌ２１１、この底壁Ｌ２１１の前後両端からそれぞれ起立する前壁Ｌ２１２及び後壁Ｌ２１３、これら前壁Ｌ２１２及び後壁Ｌ２１３の上端に設けられ戸板１を保持する戸板保持具Ｌ２１４、並びにこれら底壁Ｌ２１１、前壁Ｌ２１２、及び後壁Ｌ２１３により区成される前記案内レール収納空間Ｌ２１ｓを有する第１要素Ｌ２１と、この第１要素Ｌ２１の上方に設けられ天井に取り付けてなる第２要素Ｌ２２とを具備する。そして、第１要素の前壁及び後壁により、前記案内レール３の下部を隠蔽するようにしている。
【００１９】
一方、可動部４は、前記図４〜図６に示すように、前記案内突条３ａに係合可能な凹部を有する転動輪４１と、この転動輪４１と戸板１の上端とを接続する、より詳細には前記転動輪４１と吊持部材Ｔとの間に介在させてなる持出部材４２とを具備する。
【００２０】
さらに詳述すると、前記転動輪４１は、前記案内レール３の案内突条３ａと凹部４１ｘで接する状態を保ちつつ、この案内レール３ａの長手方向に転動可能である。前記持出部材４２は、前記転動輪４１を枢支する枢支軸４３１を突出させてなる板状の転動輪支持体４３と、この転動輪支持体４３と前記吊持部材Ｔとを接続するブラケット４４とを具備する。前記ブラケット４４は、下方に開口するチャネル状の部材であり、前記転動輪支持体４３に対向する板状の起立板部４４１と、吊持部材Ｔに接続してなり前記起立板部４４１と対向する板状の戸板取付部４４２と、これら起立板部４４１及び引き戸取付部４４２の上端部を接続する持出部４４３とを有する。そして、このブラケット４４の持出部４４３は、前記非可動部Ｌのパネル要素Ｌ１の上端よりも上方に位置し、前記転動輪４１と前記戸板との間に前記パネル要素Ｌ１を配することを可能にしている。
【００２１】
また、前記規制部５は、前記図４〜図６に示すように、前記案内レール３の開口部３ｘの上面に設けた傾斜部３ｂと、側面がこの傾斜部３ｂに摺接可能な規制部材たる副転動輪５１とを当接させてなる。この副転動輪５１は、下端が前記転動輪４１の下端よりも上方に位置し、前記転動輪支持体から突出させて設けた枢支軸に枢支させている。また、戸板１側の表面の直径を反対側の表面の直径よりも小さくしていて、この副転動輪５１の側面が、上端部において戸板１側を向く傾斜面５１ａとなるよう構成している。そして、この傾斜面５１ａが案内レール３の上内面に設けた前記傾斜部３ｂと接した状態を保ちつつ転動するようにしている。
【００２２】
引き戸Ｄの開閉動作の際には、上述したように、前記転動輪４１が前記案内レール３の案内突条３ａと凹部４１ｘで接する状態を保ちつつ、この案内レール３ａの長手方向に転動し、戸板１の移動方向を案内する。また、この戸板１及び可動部４は、案内レール３と離間する方向に作用を受けるが、副転動輪５１の側面すなわち傾斜面５１ａが上述したように案内レール３に設けた傾斜部３ｂに摺接していて、これら引き戸１及び可動部４と案内レール３との離間を規制している。
【００２３】
そして、前記ロック機構６は、前記図１に示すように、また、図７に平面図、図８に正面図、図９〜図１１に側面図を示すように、戸板１に設けてなり施錠時及び解錠時の操作力を受け付ける錠前６１と、この錠前６１から操作力の伝達を受けて昇降する操作力伝達機構６２と、この操作力伝達機構６２から操作力を受けて解錠位置から施錠位置に、又はその逆方向に移動可能な係止爪６３とを具備する。ここで、この係止爪６３は、前記施錠位置では、戸板の上端部ないしその近傍に対向する位置、具体的には前記パネル要素保持具Ｌ２に設けた上方に開口する係止穴Ｈに係合する。ここで、前記図９は、係止爪６３を施錠位置に移動させて係止穴Ｈに係合させた状態、図１０は係止爪６３を解錠位置に移動させた状態、図１１は係止爪６３を解錠位置から施錠位置へ、またはその逆の方向へ移動させる途中の一状態をそれぞれ示している。
【００２４】
前記錠前６１は、本実施形態では、一般的なシリンダ錠の錠前として周知のものである。すなわち、鍵（図示略）を挿入可能な鍵穴を有し、この鍵穴に鍵を挿入させた状態で鍵を回転させる操作力を受け付けるシリンダ部６１１と、このシリンダ部６１１が施錠を行うべく操作力を受け付けた際に上昇動作を行い、また、前記シリンダ部６１１が解錠を行うべく操作力を受け付けた際に下降動作を行うデッドボルト６１２とを有する。
【００２５】
前記操作力伝達機構６２は、解錠位置から施錠位置への移動動作中に前記係止爪を上方に移動させる昇降駆動部６４と、前記係止爪６３が施錠位置において戸板１から該戸板１の厚さ方向に突出するようにすべく昇降駆動部６４から動力の伝達を受けて係止爪６３に施錠位置と解錠位置との間で回動動作を行わせる回動駆動部６５とを具備する。また、これら昇降駆動部６４及び回動駆動部６５は直方体状のハウジング６６内に収納していて、このハウジング６６を戸板１内部の上隅部に取り付けるようにしている。
【００２６】
前記昇降駆動部６４は、本実施形態では、一端部を第１の枢着軸Ｘ１を介して前記係止爪６３の一端部に接続してなる第１のリンクメンバ６４１と、一端部を第２の枢着軸Ｘ２を介して前記第１のリンクメンバ６４１に枢着し、他端部を第３の枢着軸Ｘ３を介して前記ハウジング６６に接続してなるとともに、中間部を第４の枢着軸Ｘ４を介して前記錠前６１のデッドボルト６１２に接続している第２のリンクメンバ６４２とを具備する。この昇降駆動部６４は、錠前６１のデッドボルト６１２からの操作力の伝達を受けて係止爪６３の一端部を昇降動作させる。また、前記第２の枢着軸Ｘ２は、前記第１のリンクメンバ６４１に設けた長孔６４１ｘに係合させるようにしていて、この長孔６４１ｘ内を移動可能にしている。
【００２７】
前記回転駆動部６５が、一端部を第５の枢着軸Ｘ５を介して前記ハウジング６６に、また、他端部を第６の枢着軸Ｘ６を介して係止爪６３の中間部にそれぞれ接続したリンクメンバ６５１を有する。この回転駆動部６５は、係止爪６３の一端部が前記昇降駆動部６４から動力の供給を受けて昇降する際、前記リンクメンバ６５１及び係止爪６３からなるリンク機構により、該係止爪６３の中間部を回動動作させる。
【００２８】
ここで、前記係止爪６３は、解錠位置においてはハウジング６６の内部、すなわち戸板１内部に収納されていて、略鉛直方向に延伸している。解錠状態から施錠状態に変化させるべく錠前６１に鍵（図示略）を挿入し回転操作力を加えると、デッドボルト６１２が上方に移動する。前記昇降駆動部６４は、このデッドボルト６１２から駆動力の伝達を受けて係止爪６３の基端部を上昇させる。一方、前記回転駆動部６５は、係止爪６３の基端部の上昇を受けてリンクメンバ６５１を回動させることにより、係止爪６３を回動させて係止穴Ｈの方向に突出させる。また、施錠状態から解錠状態に変化させるべく錠前６１に鍵（図示略）を挿入し回転操作力を加えた際には、昇降駆動部６４及び回転駆動部６５が逆向きに動作し、係止爪６３がハウジング６６の内部、すなわち戸板１の内部に収納される。
【００２９】
以上に述べたように、本実施形態に係るロック機構６は、戸板１を閉止位置にロック可能にすべく設けられるものであって、施錠及び解錠の際の操作力を受け付ける錠前６１と、この錠前６１から前記操作力の伝達を受けて施錠位置と解錠位置との間で移動可能な係止爪６３と、この係止爪６３に前記錠前６１から操作力を伝達する操作力伝達部６２とを具備するものであって、前記係止爪６３が、施錠位置において上方に開口する係止穴Ｈと係合し、戸板１の閉止位置からの移動を規制する。すなわち、戸板１の上端部ないしその近傍に対向する位置に、上方に開口する係止穴Ｈを設け、係止爪６３をこの係止穴Ｈと係合させるようにしているので、戸板１の側方や天井や床体等に係止穴を設ける必要がある従来のロック機構と異なり、戸板１をロック位置から移動させた場合に係止穴Ｈが視認しにくく、見栄えを整えることができる。
【００３０】
また、前記操作力伝達部６２が、解錠位置から施錠位置への移動動作中に前記係止爪６３を上方に移動させる昇降駆動部６４と、前記係止爪６３が施錠位置において戸板１から該戸板１の厚さ方向に突出するようにすべく昇降駆動部６４から動力の伝達を受けて係止爪６３に施錠位置と解錠位置との間で回動動作を行わせる回動駆動部６５とを具備するので、解錠位置においては係止爪６３を戸板内部に収納させつつ、施錠操作に伴い係止爪６３を上昇させると同時に係止爪６３を戸板１の厚さ方向に突出させるようにでき、施錠の際の係止爪６３の動作を可能にすべく係止爪６３の上方に確保すべきスペースを小さくできる。従って、戸板１の上端と天井との間の空間が小さい場合にもこのようなロック機構６を設置できる。
【００３１】
さらに、前記昇降駆動部６４が、錠前６１からの操作力の伝達を受けて係止爪６３の一端部を昇降動作させる構成を有するとともに、前記回転駆動部６５が、一端部を戸板１、他端部を係止爪６３の中間部に接続したリンクメンバ６５１を有し、係止爪６３の前記一端部の昇降動作を受けて該係止爪６３を前記リンクメンバ６５１の端部を回動中心軸として回動させる構成を採用しているので、簡単な構成でこのような操作力伝達部６２を実現できる。
【００３２】
加えて、前記昇降駆動部６４が、一端部を前記係止爪６３の一端部に接続してなる第１のリンクメンバ６４１と、一端部を前記第１のリンクメンバ６４１、他端部を戸板１に固定して設けられるハウジング６６に接続してなるとともに、中間部を前記錠前６１のデッドボルト６１２に接続している第２のリンクメンバ６４２とを具備するので、デッドボルト６１２の昇降動作が小さいものであっても、解錠位置において係止爪６３の全体を戸板１の内部に収納し、施錠位置において係止爪６３の略全体を戸板１の上方に配置すべく昇降幅を確保できる。
【００３３】
また、壁面を構成するパネル要素Ｌ１と、このパネル要素Ｌ１を支持するパネル支持具Ｌ２とを有する非可動部Ｌとともに用いられ、閉止位置に配された際に開口部を閉塞可能な戸板１と、この戸板１を幅方向にスライド可能に支持する支持機構２とを具備する引き戸Ｄに設けられるものであって、前記非可動部に設けた係止穴Ｈに係止爪６３を係合させてなるので、係止穴Ｈを設けるための特別な部材を設けることなくこのようなロック機構を設けることができる。
【００３４】
特に、前記支持機構２が、戸板１の配設位置から該戸板の板厚方向へ変位させて前記開口部の上開口縁部及びこの開口部に連接する領域に配置される案内レール３、この案内レール３と前記戸板１とを接続するとともに前記戸板１を開閉方向に沿って移動可能に支持させてなる可動部４、及び前記可動部４の前記案内レール３から前記戸板１に向かう方向への移動を規制する規制部５を有するものであって、非可動部Ｌのパネル支持具Ｌ２が前記案内レール３を内部に収納してなるとともに、このパネル支持具Ｌ２に前記係止穴Ｈを設けているので、施錠状態であっても係止爪６３及び係止穴Ｈの箇所が外部から視認しにくく、従って、引き戸Ｄをこじ開けようとする者が係止爪６３と係止穴Ｌ２ｘとの係合を無理に解除させる手口に対する安全性を向上させることができる。
【００３５】
なお、本発明は以上に述べた実施態様に限られない。
【００３６】
例えば、引き戸に限らず、例えば一側端部を開口部の一側端に蝶着した扉を閉止位置にロックするロック機構に本発明に係る構成を採用してもよい。
【００３７】
また、解錠位置においては係止爪の略全体が戸板の上方において起立しているとともに、施錠操作に伴い係止爪が基端部を回動中心として回動し、戸板の厚み方向に突出する構成を採用してもよい。
【００３８】
さらに、上述した実施形態において、施錠及び開場時のデッドボルトの昇降幅が大きなものであれば、デッドボルトの一端部を直接係止爪に接続してもよい。
【００３９】
その他、本発明の趣旨を逸脱しない範囲で種々変形が可能である。
【図面の簡単な説明】
【００４０】
【図１】本発明の一実施形態に係る引き戸を示す全体正面図。
【図２】図１におけるａ−ａ断面図。
【図３】図１におけるｂ−ｂ断面図。
【図４】同実施形態に係る引き戸の上部を示す側断面図。
【図５】同実施形態に係る引き戸の案内レール及び転動輪を示す正面図。
【図６】同実施形態に係る引き戸の案内レール及び転動輪を示す平面図。
【図７】同実施形態に係る引き戸のロック機構近傍を示す平面図。
【図８】同実施形態に係る引き戸のロック機構近傍を示す正面図。
【図９】同実施形態に係る引き戸のロック機構の係止爪を施錠位置に配した状態を示す側断面図。
【図１０】同実施形態に係る引き戸のロック機構の係止爪を解錠位置に配した状態を示す側断面図。
【図１１】同実施形態に係る引き戸のロック機構の動作説明図。
【符号の説明】
【００４１】
１…戸板
６…ロック機構
６１…錠前
６２…操作力伝達機構
６３…係止爪
６４…昇降駆動部
６５…回動駆動部
【図１】
2008308925.tif 000003
【図２】
2008308925.tif 000004
【図３】
2008308925.tif 000005
【図４】
2008308925.tif 000006
【図５】
2008308925.tif 000007
【図６】
2008308925.tif 000008
【図７】
2008308925.tif 000009
【図８】
2008308925.tif 000010
【図９】
2008308925.tif 000011
【図１０】
2008308925.tif 000012
【図１１】
2008308925.tif 000013